(57)【特許請求の範囲】
【請求項１】
引戸１の框に取付けられかつ引戸側のリード線７を介して電気錠２に接続される固定電極部材２０を備えた取付けケース２１と、戸枠１に取付けられかつ戸枠側のリード線１０を介して制御盤４に接続される可動電極部材４０を備えた支持ボックス４１とから成る引戸用通電金具に於いて、前記可動電極部材４０は、支持ボックス４１の内部空間５０内に左右一対の復帰用支持バネ４２を介して水平状態に支持された絶縁性移動板５５と、この絶縁性移動板５５にガイドバー６０が上下動可能に設けられ、かつ、押しバネ６３を備えた左右一対の可動電極５８とから構成され、引戸１の閉鎖時、前記可動電極部材４０は、対向する固定電極部材２０に対し、前記復帰用支持バネ４２のバネ力に抗して上下方向へ移動し、少なくとも固定電極部材２０又は可動電極部材４０に設けられた１個以上の磁石（３２又は５７）を介して両部材２０、４０は互いに吸着すると共に、前記左右一対の可動電極５８は、前記支持ボックス４１から飛び出して固定電極３４に圧接状態に接触することを特徴とする引戸用通電金具。
【請求項２】
請求項１に於いて、取付けケース２１は案内箱であり、この案内箱に設けられた固定電極部材２０は、案内箱２１に設けられたガイド螺杆２５を介して進退動する調整板３０と、この調整板３０に設けられかつ可動電極部材４０の可動磁石５７に対向するように案内箱２１に形成された窓２３に臨む固定磁石３２と、この固定磁石３２に調整板３０を介して一体的に設けられた固定電極３４とを備えることを特徴とする引戸用通電金具。
【請求項３】
請求項１に於いて、可動電極部材４０Ａを備えた支持ボックス４１Ａを引戸１Ａの上框１ａに、一方、固定電極部材２０Ａを備えた案内箱２１Ａを戸枠３Ａの上枠６内に固定的に取付けることを特徴とする引戸用通電金具。
【請求項４】
引戸１Ｂの框に取付けられかつ引戸側のリード線７を介して電気錠２に接続される固定電極部材２０Ｂを備えた取付けケース２１Ｂと、戸枠１に取付けられかつ戸枠側のリード線１０を介して制御盤４に接続される可動電極部材４０Ｂを備えた支持ボックス４１Ｂとから成る引戸用通電金具に於いて、前記固定電極部材４１Ｂは、支持ボックスＢの内部空間５０内に左右一対の復帰用支持バネ４２を介して水平状態に支持された絶縁性移動板５５Ｂと、この絶縁性移動板５５Ｂにガイドバー６０が上下動可能に設けられ、かつ、押しバネ６３を備えた左右一対の可動電極５８Ｂとから構成され、引戸１Ｂの閉鎖時、前記可動電極部材４０Ｂは対向する固定電極部材２０Ｂに対し、前記復帰用支持バネ４２のバネ力に抗して上下方向へ移動し、少なくとも固定電極部材２０Ｂ又は可動電極部材４０Ｂに設けられた１個以上の磁石（３２Ｂ又は５７Ｂ）を介して両部材２０Ｂ、４０Ｂは互いに吸着すると共に、前記左右一対の可動電極５８は、前可支持ボックス４１から飛び出して固定電極３４Ｂに圧接状態に接触し、一方、引戸１Ｂの開放時に於いて、可動電極部材４０Ｂの可動電極５８Ｂの接触部６２Ｂが固定電極３４Ｂに多少落ち込んだ状態で嵌合する嵌合孔３３Ｂのテーパー状縁部６５に摺接することを特徴とする引戸用通電金具。
【請求項５】
請求項４に於いて、可動電極部材４０Ｂを備えた支持ボックス４１Ｂを引戸１Ｂの上框１ａに、一方、固定電極部材２０Ｂを備えた取付けケース２１Ｂを戸枠３の上枠６内に固定的に取付けることを特徴とする引戸用通電金具。
【発明の詳細な説明】
【０００１】
【発明の属する技術分野】
本発明は、引戸に設けられた電気錠側のリード線と、前記電気錠に低電圧の電力を送る為に戸枠側に設けられた制御盤（操作盤）側のリード線とを通電するための引戸用通電金具に関する。この引戸用通電金具は、特に引戸の閉鎖時に通電状態になり、一方、引戸を開放した場合に非通電状態になる引戸用通電金具に関する。
【０００２】
【従来の技術】
従来、本発明に最も近い引戸用通電金具の一例は、実公平３−１２１２８号公報に記載されている。この公報に記載の実施例は、基本的には引戸の上框に枢支箱介して取付けられ、かつ、引戸側リード線を介して電気錠に接続される三味線のばち状可動接触板と、一方、戸枠の上枠に前記可動接触板の爪状突出部に対向するように絶縁性取付け金具を介して設けられ、かつ、制御盤側のリード線と接続されるＬ字状固定接触板とから構成されている。
【０００３】
しかして、前記可動接触板は、枢支箱に内装されたバネ部材のバネ力により、その爪状突出部が常時枢支箱の上部窓から突出するように付勢され、引戸の閉鎖時に、引戸側の可動接触板が戸枠側の固定接触板にスライド接触することにより通電状態となる。
【０００４】
しかしながら、上記構成に於いては、次に列挙するような欠点があった。
(1)可動接触板及び固定接触板の取付けが容易でない。すなわち、引戸の上框の上端面とこれに対向する戸枠の上枠の内壁面との間の間隙（スキマ）がどの程度であるか、また引戸の開閉の際に可動接触板の爪状突出部が戸枠の上枠の内壁面をスライドしないようにするためには、枢支箱の上部窓から突出する爪状突出部の突出量をどの程度にするか等の事情を考慮し、しかも、可動接触板と固定接触板との接触不良が生じないように、両接触板を精度良く取付けることが要求される。したがって、いわゆる「アバウトの感覚」で可動接触板や固定接触板を取付けることができない。それ故に、作業員はある程度の熟練を要する。
(2)可動接触板の爪状突出部が邪魔をし、引戸を容易に取り外すことができない。すなわち、可動接触板は、枢支箱に内装されたバネ部材のバネ力により、その爪状突出部が枢支箱の上部窓から常時突出するように付勢されているので、通電金具の点検や修理の際に引戸を戸枠から容易に取り外すことができない。
【０００５】
【発明が解決しようとする課題】
本発明は以上のような従来の問題点に鑑み、第１の目的は引戸の開閉に対応して、必ず非通電又は通電状態になることである。第２の目的は固定電極と可動電極との互いの接触面積を大きくすることができ、よって、作業員がある程度の熟練を要しなくても、いわゆる「アバウトの感覚」で通電金具を取付けることができることである。第３の目的は通電金具の点検や修理の際に引戸を戸枠から容易に取り外すことができることである。第４の目的は引戸の閉鎖時に於ける磁場を極力強くすることができ、よって、引戸の閉鎖状態、或いは引戸と戸枠とのスキマ等の事情により、固定電極と可動電極との接触不良が生じないようにすることである。
【０００６】
【課題を解決するための手段】
本発明の引戸用通電金具は、引戸１の框に取付けられかつ引戸側のリード線７を介して電気錠２に接続される固定電極部材２０を備えた取付けケース２１と、戸枠１に取付けられかつ戸枠側のリード線１０を介して制御盤４に接続される可動電極部材４０を備えた支持ボックス４１とから成る引戸用通電金具に於いて、前記可動電極部材４０は、支持ボックス４１の内部空間５０内に左右一対の復帰用支持バネ４２を介して水平状態に支持された絶縁性移動板５５と、この絶縁性移動板５５にガイドバー６０が上下動可能に設けられ、かつ、押しバネ６３を備えた左右一対の可動電極５８とから構成され、引戸１の閉鎖時、前記可動電極部材４０は、対向する固定電極部材２０に対し、前記復帰用支持バネ４２のバネ力に抗して上下方向へ移動し、少なくとも固定電極部材２０又は可動電極部材４０に設けられた１個以上の磁石（３２又は５７）を介して両部材２０、４０は互いに吸着すると共に、前記左右一対の可動電極５８は、前記支持ボックス４１から飛び出して固定電極３４に圧接状態に接触することを特徴とする。
【０００７】
上記構成に於いて、取付けケース２１は案内箱であり、この案内箱に設けられた固定電極部材２０は、案内箱２１に設けられたガイド螺杆２５を介して進退動する調整板３０と、この調整板３０に設けられかつ可動電極部材４０の可動磁石５７に対向するように案内箱２１に形成された窓２３に臨む固定磁石３２と、この固定磁石３２に調整板３０を介して一体的に設けられた固定電極３４とを備える。さらに、可動電極部材４０の可動電極５８は、移動板５５に形成されたガイド孔５９を貫通するガイドバー６０と、一端部に設けられかつ移動板５５の一面と当接するストッパー６１と、他端部に突起状に設けられかつ固定電極３４に接触する接触部６２とを有し、前記突起状接触部６２と移動板５５の他面との間のガイドバーの部位には、押しバネ６３が装着されている。
【０００８】
また本発明の引戸用通電金具は、引戸１Ｂの框に取付けられかつ引戸側のリード線７を介して電気錠２に接続される固定電極部材２０Ｂを備えた取付けケース２１Ｂと、戸枠１に取付けられかつ戸枠側のリード線１０を介して制御盤４に接続される可動電極部材４０Ｂを備えた支持ボックス４１Ｂとから成る引戸用通電金具に於いて、前記固定電極部材４１Ｂは、支持ボックスＢの内部空間５０内に左右一対の復帰用支持バネ４２を介して水平状態に支持された絶縁性移動板５５Ｂと、この絶縁性移動板５５Ｂにガイドバー６０が上下動可能に設けられ、かつ、押しバネ６３を備えた左右一対の可動電極５８Ｂとから構成され、引戸１Ｂの閉鎖時、前記可動電極部材４０Ｂは対向する固定電極部材２０Ｂに対し、前記復帰用支持バネ４２のバネ力に抗して上下方向へ移動し、少なくとも固定電極部材２０Ｂ又は可動電極部材４０Ｂに設けられた１個以上の磁石（３２Ｂ又は５７Ｂ）を介して両部材２０Ｂ、４０Ｂは互いに吸着すると共に、前記左右一対の可動電極５８は、前可支持ボックス４１から飛び出して固定電極３４Ｂに圧接状態に接触し、一方、引戸１Ｂの開放時に於いて、可動電極部材４０Ｂの可動電極５８Ｂの接触部６２Ｂが固定電極３４Ｂに多少落ち込んだ状態で嵌合する嵌合孔３３Ｂのテーパー状縁部６５に摺接することを特徴とする。
【０００９】
【発明の実施の形態】
以下、図面に示す本発明の実施の形態を第１実施例の引戸用通電金具Ｘの例で説明する。
【００１０】
まず図１は引戸用通電金具Ｘの使用状態の概略説明図である。図１に於いて、１は引戸、２は引戸の開放側縦框の中央部に内装された電気錠、３は戸枠、４は建物の室内に設置された制御盤である。引戸用通電金具Ｘは、例えば前記引戸１の上框１ａと、この上框１ａと対向する戸枠３の上枠６とにそれぞれ取付けられている。おな、本実施例の引戸用通電金具Ｘは、引戸１の縦框１ｂと、この縦框１ｂに対向する戸枠３のたて枠８にも取付けが可能であるが、前述した従来の実施例との対比との関係を考慮し、前者の例で説明する。
【００１１】
しかして、前記引戸１は片引戸でも良いが、本実施例では両方が開放可能な引き違い式引戸であり、また電気錠２は引戸用通電金具Ｘと引戸側リード線７を介して電気的に接続され、かつ、その係合錠杆２ａは戸枠３のたて枠８内に設けられた受け金具９と係脱する。また制御盤４は前記引戸用通電金具Ｘと制御盤側リード線１０を介して電気的に接続している。
【００１２】
ところで、制御盤４は商業用交流電源１１、室内外に設置されたテンキーや施解錠手段等の入力部１２と電気的に接続している。また制御盤側リード線１０は、一般的に電気錠２が施錠又は解錠の際に起電力の方向に変化が生じるロータリソレノイドを採用しているために、施錠信号用リード線１０ａと、解錠信号用リード線１０ｂとに区別されている。
【００１３】
次に図２乃至図７は、引戸用通電金具Ｘの具体的構成を示した各説明図である。これらの各図に於いて、２０は引戸１の上框１ａにけられた固定電極部材である。この電極部材２０は、本実施例では前記上框１ａに固定的に取付けられた案内箱２１を介して移動可能に設けられている。この案内箱２１は、固定電極部材２０を直接上框１ａに固定的に設けた場合には必要がない。しかしながら、固定電極部材２０は、後述する可動電極部材が支持ボックスに複数個のバネ部材を介して移動可能に設けられているので、望ましくは案内箱２１内に位置調整可能に設けるべきである。
【００１４】
ここで、まず取付けケースの一例としての案内箱２１について説明する。案内箱２１は、例えば上框１ａの戸先側に形成した切欠部に嵌合する。この場合案内箱２１は上框１ａに固定的に取付けられるが、案内箱２１の上壁２２と上框１ａの上端面とが同一水平面上に位置するように取付けるのが望ましい。しかして、前記上壁２２の中央部には比較的大きい矩形状の窓２３が形成され、また上壁２２並びに底壁２４の左右には、左右一対のガイド螺杆２５用の貫通孔２６、２６が形成されている。なお、前記ガイド螺杆２５の頭部２５ａは、上壁２２と面一になるように上壁２２側の断面段差状貫通孔２６内に嵌合している。
【００１５】
次に固定電極部材２０について説明する。固定電極部材２０は、案内箱２１の窓２３から出没できるように左右一対のガイド螺杆２５、２５を介して該案内箱２１に内装された断面凸状の調整板３０と、この調整板３０の凸状中央部に金属片３１を介して埋設された固定磁石３２と、この固定磁石３２の左右に位置するように前記調整板３０の突部に形成された貫通状嵌合孔３３にそれぞれ嵌合する固定電極３４と、これらの固定電極３４に一端部が接続されると共に、他端部は前記貫通状嵌合孔３３を介して案内箱２１の内部空間２８へと案内された結線用リード線３５とから成る。
【００１６】
しかして、前記調整板３０は、左右のガイド螺杆２５とそれぞれ螺合するメネジ３６を有すると共に、固定電極３４は導体なので、絶縁材料で形成されている。また前記結線用リード線３５を案内箱２１内で結線しない場合を考慮し、案内箱２１の底壁２４或いは側壁にはリード線３５用の適当な孔が形成されている。
【００１７】
ところで、固定電極３４の大きさや形状は、特に問わないが、望ましくは上框１ａの長さ方向（引戸の開閉方向）に長くし、また後述の可動電極の接触面と大きく面接触するようにその接触面を偏平状にすべきである。また固定電極３４の取付け位置は、後述する可動電極部材の可動電極の取付け箇所に対応せざるを得ないが、固定電極２０が導電性の金属であること、引戸側リード線７と電気錠側の電線との結線の容易性等を考慮し、望ましくは引戸１の上框１ａの引戸開放側端部にすべきである。
【００１８】
次に前記固定電極部材２０に対応する可動電極部材４０について説明する。可動電極部材４０は戸枠１の上枠６に取付けられた支持ボックス４１及び支持バネ４２を介し、本実施例では上下動可能に設けられている。なお、この可動電極部材４０は、引戸用通電金具Ｘを、引戸１の縦框１ｂと、この縦框１ｂに対向する戸枠３のたて枠８に取付ける場合には、支持ボックス４１等に水平移動可能に設けられる。
【００１９】
ここで、まず支持ボックス４１について説明する。支持ボックス４１は、固定電極部材２０に対向するように上枠６内に嵌め込まれ、固着具４３を介して上枠６に固着される。
【００２０】
しかして、支持ボックス４１は、図７で示すように本実施例では固着具４３が係合するネジ孔４４を有する取付けフランジ部４５と、この取付けフランジ部４５に連設する下側開口４６の嵌合ボックス部４７とから成り、前記嵌合ボックス部４７の内部上壁４８の中央部にはリード線用導入孔４９が形成されている。したがって、例えば嵌合ボックス部４７内で結線する場合には、制御盤側のリード線１０ａ、１０ｂの接続部を前記線導入孔４９を介して嵌合ボックス部４７の内部空間５０ヘと導く必要がある。
【００２１】
次に可動電極部材４０について説明する。可動電極部材４０は、上端部が支持ボックス４１の嵌合ボックス部４７の内部上壁４８に取付けられた複数個の復帰用支持バネ４２を介し、望ましくは後述する移動板が嵌合ボックス部４７の内部空間５０内に位置するように設けられている。
【００２２】
しかして、この可動電極部材４０は、左右一対の支持バネ４２を介して嵌合ボックス部４７の内部空間５０内に水平状態に支持された絶縁性移動板５５と、この絶縁性移動板５５の中央部に任意形状の金属支持片５６を介して設けられ、かつ、固定電極部材２０の固定磁石３２の極性に対応して吸着する可動磁石５７と、この可動磁石５７の左右に位置すると共に、固定電極部材２０の固定電極３４に接触することができるように絶縁性移動板５５に設けられた左右一対の可動電極５８とから構成されている。
【００２３】
しかして、前記可動電極５８は、本実施例では絶縁性移動板５５に形成された小径の垂直ガイド孔５９を貫通するガイドバー６０と、上端部（端子部）に周設され、かつ、絶縁性移動板５５の上面と常時当接するストッパー６１と、下端部に突起状に設けられ、かつ、固定電極３４に接触する弧状面或いは球面の接触部６２とを有し、前記突起状接触部６２と絶縁性移動板５５の下面との間のガイドバーの部位には、押しバネ６３が装着されている。
【００２４】
ところで、この押しバネ６３は、支持ボック４１を上枠６に取付けた（可動電極部材４０を水平状態に配設した）場合には、可動電極５８が自重で下降するので必ずしも必要ではないが、支持ボック４１をたて枠８に取付けた（可動電極部材４０を垂直状態に配設した）場合には、可動電極５８を復帰させるために必要である。なお、可動電極５８のガイドバー６０の上端部（端子部）には制御盤側のリード線１０ａ、１０ｂがそれぞれ結線されている。
【００２５】
上記構成に於いて、図２及び図３が引戸１の閉鎖時の通電状態を示す各説明図である。この場合引戸１側の固定電極部材２０は、支持ボックス４１内の可動電極部材４０の下方へと入り込んで来るので、可動電極部材４０は、復帰用支持バネ４２のバネ力に抗して支持ボックス４１の内部空間５０内から飛び出す。その結果、可動電極部材４０の可動磁石５７は固定電極部材２０の固定磁石３２にそれぞれ吸着すると同時に、可動電極部材４０の左右の可動電極５８は、固定電極部材２０の固定電極３４に押しバネ６３のバネ力に抗してそれぞれ接触する。したがって、制御盤４からリード線１０、引戸用通電金具Ｘ、リード線７をそれぞれ介し、電気錠２へと施錠信号又は解錠信号を送ることが可能になる。
【００２６】
一方、図４及び図５が引戸１の開放時の非通電状態を示す各説明図である。例えば引戸１の閉鎖中に電気錠２へ解錠信号用リード線１０ｂ、引戸用通電金具Ｘ等を介して解錠信号が送られると、電気錠２の係合錠杆２ａは受け金具９から外れる。そこで、引戸１を開放すると、固定電極部材２０の固定磁石３２は、支持ボックス４１から飛び出し中の可動電極部材４０の可動磁石５７からスライドしなから離れる。そうすると、可動電極部材４０は、左右の支持バネ４２の復帰（収縮）力により支持ボックス４１内へと後退する。
【００２７】
【実施例】
図２乃至図７の第１実施例に於いて、可動電極部材４０を備えた支持ボックス４１を戸枠３のたて枠８の上部内に取付け、一方、固定電極部材２０を備えた案内箱２１を引戸１の縦框１ｂ内に固定しても良い。
【００２８】
また固定電極部材２０の磁石３２と固定電極３４は、調整板３０を介して一体的に配設されているが、例えば磁石３２を固定電極３４に内蔵したり、或いは固定磁石３２を固定電極３４の側壁に貼着したりする等固定磁石３２と固定電極３４とを直接一体にしても良い。この点は可動電極部材４０の可動磁石５７と可動電極５８との関係も同様である。
【００２９】
また図８で示すように支持ボックス４１Ａと案内箱２１Ａとの位置を入れ替え、可動電極部材４０Ａを備えた支持ボックス４１Ａを引戸１Ａの上框１ａに、一方、固定電極部材２０Ａを備えた案内箱２１Ａを戸枠３Ａの上枠６内に固定的に取付けても良い。この場合支持ボックス４１Ａと可動電極部材４０Ａを連結する復帰用支持バネ４２Ａは、必ずしも設ける必要はない。けだし、引戸１Ａを開け、可動電極部材４０Ａ側の可動磁石５７Ａが固定電極部材２０Ａ側の固定磁石３２Ａから離れると、可動電極部材４０Ａはその自重で支持ボックス４１Ａの内部空間５０Ａ内で自然落下するからである。したがって、このような実施例の場合には、移動板５５Ａに複数の案内側壁を適宜に形成するのが望ましい。
【００３０】
また図２乃至図７で示した第１実施例及び図８で示す第１実施例の取付箇所の変形例に於いて、固定電極部材２０（２０Ａ）の固定磁石３２（３２Ａ）が単なる金属部材（ブロック、板等）であっあり、又は逆に可動電極部材４０（４０Ａ）の可動磁石５７（５７Ａ）が単なる金属部材（ブロック、板等）であっありしても良い。要は引戸１（１Ａ）の閉鎖時に、可動電極部材４０（４０Ａ）又は固定電極部材２０（２０Ａ）に設けられた少なくとも１個以上の磁石を介し、互いの電極３４、５８が接触するように可動電極部材４０（４０Ａ）が固定電極部材２０（２０Ａ）に吸着すれば良い。
【００３１】
次に図９乃至図１１で示す本発明の第２実施例について説明する。なお、この実施例の説明に当って、前記第１実施例と同一の部分には同一又は同様の符合を付し、重複する説明を省略する。
【００３２】
第２実施例は、案内箱２１Ｂ内に位置調整可能に設けられた固定電極部材２０Ｂの固定磁石３２Ｂが、調整板３０Ｂに間隔を有して２個設けられている点、これに対応して支持ボックス４１Ｂ内の可動電極部材４０Ｂの可動磁石５７Ｂが、移動板５５Ｂに金属支持片５６Ｂを介して２個設けられている点である。
【００３３】
また固定電極部材２０Ｂの前記調整板３０Ｂの左右の貫通状嵌合孔３３Ｂがやや大き目に形成され、一対の固定電極３４Ｂがこれらの貫通状嵌合孔３３Ｂに落ち込んだ状態で嵌合していると共に、可動電極部材４０Ｂの可動電極５８Ｂの弧状接触部６２Ｂが前記貫通状嵌合孔３３Ｂのテーパー状縁部６５に摺接する点である。
【００３４】
このように構成すると、第１の特徴点に於いて、固定電極部材２０Ｂと可動電極部材４０Ｂとの関係で、磁石３２Ｂ、５７Ｂを中心とする磁場を大きくすることができ、また第２の特徴点に於いて、図１１で示すように引戸１Ｂの開放時に可動電極５８Ｂの弧状接触部６２Ｂが貫通状嵌合孔３３Ｂのテーパー状縁部６５に摺接するので、可動電極５８Ｂに付着したゴミ７０を少しでも除去することができる。
【００３５】
なお、この第２実施例に於いても、一方が金属部材であり、他方がこの金属部材に吸着する複数個の磁石であっても、第１実施例と同様の効果を達成することができる。また可動電極部材４０Ｂを備えた支持ボックス４１Ｂを引戸１Ｂの上框１ａに、一方、固定電極部材２０Ｂを備えた取付けケース２１Ｂを戸枠３の上枠６内に固定的に取付けても良い。
【００３６】
【発明の効果】
以上の説明から明らかなように、本発明にあっては次に列挙するような効果がある。
（１）引戸の閉めると、可動電極部材は、少なくとも可動電極部材又は固定電極部材のいずれか一方に設けた磁石の磁力により、支持ボックス内の復帰用支持バネのバネ力に抗して戸枠又は引戸から飛び出して固定電極部材に吸着すると共に、可動電極部材側の可動電極と固定電極部材側の固定電極とが接触する。一方、引戸を開くと、可動電極部材は復帰用支持バネのバネ力により、戸枠又は引戸内に後退する。したがって、引戸と戸枠との間に多少のスキマがあっても、引戸の開閉に対応して、必ず非通電又は通電状態になる。それ故に、引戸の閉め具合や引戸と戸枠とのスキマ如何により、固定電極と可動電極との接触不良が生じることを極力回避することができる。
（２）一方の電極（例えば固定電極）の接触面を大きくすると、作業員がある程度の熟練を要しなくても、いわゆる「アバウトの感覚」で通電金具を取付けることができる。
（３）可動電極部材は、引戸を開くと固定電極部材から離れると共に、戸枠又は引戸内の支持ボックス或いは取付けケース内に略後退する。したがって、通電金具の点検や修理の際に引戸を戸枠から容易に取り外すことができる。
（４）引戸の閉鎖時に於ける磁場を極力強くし、よって、引戸の閉鎖状態、或いは引戸と戸枠とのスキマ等の事情により、固定電極と可動電極との接触不良が生じないようにすることができる。
（５）請求項６記載の発明は、可動電極部材の可動電極に付着したゴミを引戸開放時に除去することができる。
【図面の簡単な説明】
図１乃至図７は本発明の第１実施例を示す各説明図。図８は第１実施例の取付け箇所の変形例を示す説明図、図９乃至図１１は第２実施例を示す各説明図である。
【図１】引戸用通電金具Ｘの実施の形態を示す説明図。
【図２】引戸の閉鎖時の通電状態を示す説明図。
【図３】図２の３−３線方向から見た概略説明図。
【図４】引戸の開放時の非通電状態を示す説明図。
【図５】図４の５−５線方向から見た概略説明図。
【図６】要部（固定電極部材を備えた取付けケース）の説明図。
【図７】要部（可動電極部材を備えた支持ボックス）の説明図。
【図８】第１実施例に於いて、可動電極部材と固定電極部材の取付け箇所を入れ替えた場合の説明図。
【図９】第２実施例の図２と同様の図。
【図１０】第２実施例の図３と同様の図。
【図１１】第２実施例の要部の説明図。
【符号の説明】
Ｘ…引戸用通電金具、１、１Ａ、１Ｂ…引戸、１ａ…上框、１ｂ…縦框、２…電気錠、３、３Ａ…戸枠、４…制御盤、６、６ａ…上枠、７…引戸側リード線、８…たて枠、９…受け金具、１０…制御盤側のリード線、２０、２０Ａ、２０Ｂ…固定電極部材、２１、２１Ａ、２１Ｂ…取付けケース（案内箱）、２３…窓、２５…ガイド螺杆、２８、５０、５０Ａ…内部空間、３０、３０Ｂ…調整板、３２、３２Ａ、３２Ｂ…固定磁石、３３、３３Ｂ…嵌合孔、３４、３４Ｂ…固定電極、３５…結線用リード線、４０、４０Ａ、４０Ｂ…可動電極部材、４１、４１Ａ…支持ボックス、４２、４２Ａ…支持バネ、４７…嵌合ボックス部、５５、５５Ａ、５５Ｂ…移動板、５６、５６Ｂ…金属支持片、５７、５７Ａ、５７Ｂ…可動磁石、５８、５８Ｂ…可動電極、６０…ガイドバー、６２…接触部、６３…押しバネ、テーパー状縁部、７０…ゴミ。
【図１】
0003963528.tif 000002
【図２】
0003963528.tif 000003
【図３】
0003963528.tif 000004
【図４】
0003963528.tif 000005
【図５】
0003963528.tif 000006
【図６】
0003963528.tif 000007
【図７】
0003963528.tif 000008
【図８】
0003963528.tif 000009
【図９】
0003963528.tif 000010
【図１０】
0003963528.tif 000011
【図１１】
0003963528.tif 000012